(57)【要約】  【課題】仕切壁で左右に区画された室内に関して、使用者の目に広々感を与えることのできる冷蔵庫を提供する。  【解決手段】上部区画１０４の前面開口部を左右に分割して開閉する引き出し式扉１０９，ヒンジ開閉式扉１１０の二つの扉の合わせ部の後方に所定の空間１１２をおいて奥行き方向に第１の仕切壁１０６を設けて貯蔵室内を左側領域１０７，右側領域１０８の左右の領域に区画され、仕切壁１０６は底面を取付けの基準とし区画壁１０３に固定され、貯蔵室天面１２４とは隙間１２５を有しており、断熱箱体１０２の組立てがばらついても仕切壁１０６の組立ては可能であり、第１の仕切壁１０６が前面開口部まで延出せず、室内の圧迫感や閉塞感が解消され、空間１１２を介して左右領域間が視覚的に連通して広々感が創出される。【選択図】図４
2007163067.tif 000002
【特許請求の範囲】
【請求項１】
断熱箱体内に形成された貯蔵室と、前記貯蔵室の前面開口部を左右に分割して開閉する二つの扉を有し、前記二つの扉の合わせ部の後方に所定の空間をおいて前記貯蔵室内の奥行き方向に仕切壁を設け、前記仕切壁により前記貯蔵室内を左右の領域に区画され、前記仕切壁は底面を取付けの基準とし前記貯蔵室を上下の領域に区画する区画壁に固定され、前記貯蔵室天面とは隙間を有することを特徴とする冷蔵庫。
【請求項２】
仕切壁底面の固定は回転式固定ピースによることを特徴とする請求項１に記載の冷蔵庫。
【請求項３】
仕切壁底面の固定は、複数個の回転式固定ピースを用いて１個は前後方向長穴に、１個は左右方向長穴にはめ込むことを特徴とする請求項２に記載の冷蔵庫。
【請求項４】
貯蔵室天面と仕切壁との隙間に沿わせる形で壁を設けたことを特徴とする請求項１から３のいずれか一項に記載の冷蔵庫。
【請求項５】
貯蔵室天面に突起および爪を設けて、仕切壁上部に前記突起に対応するリブおよび前記爪に対応するリブを設けたことを特徴とする請求項１から４のいずれか一項に記載の冷蔵庫。
【発明の詳細な説明】
【技術分野】
【０００１】
本発明は、冷蔵庫の区画構成に関するものである。
【背景技術】
【０００２】
従来、左右に分割された貯蔵室にそれぞれ扉を有するものが、冷蔵庫のひとつの形態として普及している（例えば、特許文献１参照）。
【０００３】
以下、従来の冷蔵庫について図面を参照しながら説明する。
【０００４】
図１０は従来の冷蔵庫の正面図である。図１１は従来の冷蔵庫の扉を開けた状態の斜視図である。
【０００５】
図１０、図１１に示すように、冷蔵庫本体１内を上下に区画する断熱区画壁２により、上部に上部区画３、下部に下部区画４が形成されている。上部区画３内は第１の区画壁５により左右に区画され、下部区画４内は第２の区画壁６により左右に区画されている。第１の区画壁５により冷蔵室７が右側領域に形成され、冷蔵室７の下部には野菜室８が区画壁９を挟んで形成されている。第１の仕切壁５によりボトル収納室１０が冷蔵室７に隣り合わせて左側領域に区画形成されている。また、第２の仕切壁６により右側領域には冷凍室１１が区画形成され、左側領域には製氷室１２が区画形成されている。
【０００６】
冷蔵室７の開口面には開閉自在に取り付けられたヒンジ開閉式扉１３が設けられている。野菜室８は開口面に開閉自在に取り付けられた引き出し式扉１４を設けており、室内側の収納容器（図示せず）を一体に引き出せるように構成されている。
【０００７】
ボトル収納室１０は開口面に開閉自在に取り付けられた引き出し式扉１５を設けており、室内側の収納容器１６、１７、１８、１９を一体に引き出せるように構成されている。また、冷凍室１１は開口面に開閉自在に取り付けられた引出し式扉２０を設けており、室内側の収納容器（図示せず）を一体に引き出せるよう構成されている。製氷室１２は開口面に開閉自在に取り付けられた引き出し式扉２１を設けており、室内側の収納容器（図示せず）を一体に引き出せるように構成されている。
【特許文献１】特開２００１−２６３９１３号公報
【発明の開示】
【発明が解決しようとする課題】
【０００８】
しかしながら、上記従来の構成では、特に使用者が目の前に対面して使用する上部区画３に関して、上部区画３内を左右に分割する第１の仕切壁５が冷蔵庫本体１の開口面まで延出されて存在するため、中でもヒンジ開閉式扉１３を開放して室内を見渡しながら使うことの多い冷蔵室７の室内に対して、使用者の目には圧迫感や閉塞感を感じさせ、視覚的に広々感が感じられないという問題点を有していた。このことは、実使用面だけの問題でなく、販売店等での購入時に室内が狭く使いにくいという印象を与え、購入意欲を減退させる要因ともなるものであった。
【０００９】
なお、これら問題点は上部区画３で特に顕著に感じられるものであるが、下部区画４においても程度の差はあれ、同様の問題点を有するものである。
【００１０】
本発明は、上記従来の問題点に基づく課題を解決するもので、仕切壁で左右に区画された室内に関して、使用者の目に広々感を与える構成を有した冷蔵庫を提供することを目的とする。
【課題を解決するための手段】
【００１１】
上記従来の課題を解決するために、本発明の冷蔵庫は、貯蔵室の前面開口部を左右に分割して開閉する二つの扉の合わせ部の後方に所定の空間をおいて奥行き方向に仕切壁を設け、この仕切壁により貯蔵室内を左右の領域に区画したものである。
【００１２】
これによって、仕切壁が貯蔵室の前面開口部まで延出せず、室内の圧迫感や閉塞感が解消され、空間を介して左右の室間が視覚的に連通して広々感が創出される。
【発明の効果】
【００１３】
本発明の冷蔵庫は、貯蔵室の前面開口部から仕切壁までの間に空間を有するので、左右の室間が視覚的に連通して使用者に広々感を感じさせることができる。
【発明を実施するための最良の形態】
【００１４】
請求項１に記載の発明は、断熱箱体内に形成された貯蔵室と、前記貯蔵室の前面開口部を左右に分割して開閉する二つの扉を有し、前記二つの扉の合わせ部の後方に所定の空間をおいて前記貯蔵室内の奥行き方向に仕切壁を設け、前記仕切壁により前記貯蔵室内を左右の領域に区画され、前記仕切壁は底面を取付けの基準とし前記貯蔵室天面とは隙間を有したものであり、仕切壁が貯蔵室の前面開口部まで延出せず、室内の圧迫感や閉塞感が解消され、空間を介して左右の室間が視覚的に連通して使用者や購入者に広々感を感じさせることができる。また、仕切壁と貯蔵室天面とは隙間を有しているため貯蔵室の組立精度のバラツキにより仕切壁の組込み部の寸法が小さくなっても組立が可能である。
【００１５】
請求項２に記載の発明は、請求項１に記載の発明において、仕切壁底面の固定は回転式固定ピースによるものであり、これにより工具なしで仕切壁の取付けができる。
【００１６】
請求項３に記載の発明は、請求項２に記載の発明において、仕切壁底面の固定は、複数個の回転式固定ピースを用いて１個は前後方向長穴に、１個は左右方向長穴にはめ込む構成であり、回転式固定ピースを前後方向長穴および左右方向長穴にはめ込むことにより、それぞれ仕切壁を左右方向、前後方向の位置決めして固定することができる。
【００１７】
請求項４に記載の発明は、請求項１から３のいずれか一項に記載の発明において、貯蔵室天面と仕切壁との隙間に沿わせる形で壁を設けたことにより、貯蔵室天面と仕切壁との隙間が塞がれ見栄えを向上することができる。
【００１８】
請求項５に記載の発明は、請求項１から４のいずれか一項に記載の発明において、貯蔵室天面に突起および爪を設けて、仕切壁上部に前記突起に対応するリブおよび前記爪に対応するリブを設けたことにより、工具無しで仕切壁の固定が出来、上下方向への挙動に対する自由度を持つことができるので、貯蔵室の冷却時などにおける貯蔵室内部品の熱収縮作用による仕切壁の破損を防止できる。
【００１９】
以下、本発明による冷蔵庫の実施の形態について、図面を参照しながら説明する。なお、この実施の形態によってこの発明が限定されるものではない。また、実施の形態間で共通の構成については、敢えて新たな符号を付すことなく先の実施の形態で用いた符号を用い、詳細な説明を省略する。
【００２０】
（実施の形態１）
図１は、本発明の実施の形態１における冷蔵庫の正面図である。図２は、同実施の形態における冷蔵庫の扉を外した状態の正面図である。図３は、同実施の形態における冷蔵庫の扉を開けた状態の斜視図である。図４は、同実施の形態における冷蔵庫の要部の平面断面図である。図５は、同実施の形態における冷蔵庫の要部（仕切壁底面）の平面断面図である。図６は、同実施の形態における冷蔵庫の要部（回転式固定ピース）の縦断面図である。図７は、同実施の形態における冷蔵庫の要部（仕切壁上部）の縦断面図である。図８は、同実施の形態における冷蔵庫の要部（仕切壁上部）の縦断面図である。図９は、同実施の形態における冷蔵庫の要部（仕切壁上部）の平面断面図である。
【００２１】
図１から図９に示すように、冷蔵庫本体１０１は断熱箱体１０２と後述する各扉で形成され、上下に分割する区画壁１０３により上部区画１０４と下部区画１０５に分割されている。
【００２２】
上部区画１０４はその内部を第１の仕切壁１０６によって、左右の領域となる左側領域１０７と右側領域１０８とに区画されている。左側領域１０７の前面開口部を塞ぐ扉としては引き出し式扉１０９を配置し、右側領域１０８の前面開口部を塞ぐ扉としてはヒンジ開閉式扉１１０を配置している。
【００２３】
引き出し式扉１０９の幅はヒンジ開閉式扉１１０の幅よりも小さく、したがって左側領域１０７の内容積は右側領域１０８の内容積よりも小さい。そして、引き出し式扉１０９と隣り合う辺の反対側の辺にヒンジ開閉式扉１１０のヒンジ部１１１を設けた構成となっている。すなわち、換言すればヒンジ開閉式扉１１０の反ヒンジ側に引き出し式扉１０９が並設された配置構成となっている。
【００２４】
引き出し式扉１０９とヒンジ開閉式扉１１０との隣接する合わせ部の後方には、断熱箱体１０２の前面開口部から所定に間隔を有する空間１１２を冷気流通部として設けて、この空間１１２の後方に、上部区画１０４の奥部に向かって第１の仕切壁１０６が設けられている。
【００２５】
すなわち、上部区画１０４は、左側領域１０７と右側領域１０８とが第１の仕切壁１０６の前方の空間１１２で互いに連通する構成となっている。そして、上部区画１０４内は、左側領域１０７，右側領域１０８を併せてともに冷蔵温度帯の貯蔵室となっている。
【００２６】
引き出し式扉１０９で開閉される左側領域１０７内には複数の収納容器１１３が設けられ、引き出し式扉１０９と一体に引き出せるように構成されている。
【００２７】
引き出し式扉１０９と反対側のヒンジ開閉式扉１１０で開閉される右側領域１０８内には収納物を載置する複数の棚１１４を備えていて、一方の側端部を断熱箱体の内箱１１５に棚受けを設けて支持固定し、他方の側端部を第１の仕切壁１０６の側壁面に棚受けを設けて支持固定するよう構成されている。
【００２８】
低温室１１６は収納容器１１７を備えて、主として肉、魚介類、ハム等の生鮮食料品を０〜１℃程度の温度で貯蔵するよう冷蔵温度帯内で区画された収納区画であり、収納容器１１７を前後に摺動可能にするレール機構（図示せず）を内箱１１５と第１の仕切壁１０６の側壁面に、直接または間接的に設けている。
【００２９】
そして、図４に示すように、複数の棚１１４，低温室１１６の前端面が、第１の仕切壁１０６の前端面とほぼ面一となるよう前端面が揃えられている。すなわち、断熱箱体１０２の前面開口部から第１の仕切壁１０６の前端面までに設けられた空間１１２は、実質的にはその奥行きが棚１１４，低温室１１６などの室内の収納部の前端面までの間隔を有しているものである。
【００３０】
ヒンジ開閉式扉のヒンジ部１１１の反対側の扉裏面には、引き出し式扉１０９とヒンジ開閉式扉１１０との合わせ部を、その表面で密閉するように設けられた回転仕切体１１８が取り付けられている。回転仕切体１１８の具体構造は図示しないが、上部区画１０４の上下壁の少なくとも一方に、回転仕切体１１８の回動溝に入り込んで回転仕切体１１８を回動させるガイドピンが設けられ、扉開時は回転仕切体１１８がヒンジ開閉式扉１１０の裏側にその表面を断熱箱体１０２の奥行き方向とほぼ平行となるような姿勢に維持され、扉閉時には前述のガイドピンと回動溝の係合によってその表面が断熱箱体の前面開口面とほぼ平行となる姿勢に回動され、回転仕切体１１７の表面と引き出し式扉１０９とヒンジ開閉式扉１１０とがマグネットガスケット等を介して密着シールされるものである。
【００３１】
そして、図４に示すように、この回転仕切体１１８の回動領域が少なくとも第１の仕切壁１０６の前方に形成された空間１１２の範囲内に含まれるように、空間１１２の奥行き間隔を設定するものである。
【００３２】
また、第１の仕切壁１０６は底面を基準として複数個の回転式固定ピース１１９により区画壁１０３の上板１２０に取付ける。回転式固定ピース１１９の１個は上板１２０に設けた前後方向長穴１２１に、１個は左右方向長穴１２２に合わせてはめ込み、その後回転式固定ピース１１９を突起１２３を乗り越えさせながら９０度回転させて、突起１２３に挟まれる位置で固定する。そして、第１の仕切壁１０６と貯蔵室天面１２４とは隙間１２５を有しており、隙間１２５に沿わせる形で貯蔵室天面１２４から壁１２６が設けられている。さらに、貯蔵室天面１２４にピン１２７および爪１２８を設けており、仕切壁１０６上部にピン１２７に対応する後方が開放されたピン１２７を囲む形状のリブ１２９および爪１２８に対応するリブ１３０を設けている。
【００３３】
次に、下部区画１０５の構成について説明する。
【００３４】
下部区画１０５は左右に分割する第２の仕切壁１３１により、左区画と右区画に分割され、左区画は上から順に引き出し式扉１３２を備えた製氷室１３３、引き出し式扉１３４を備えた冷凍室１３５が配置され、右区画は上から順に引き出し式扉１３６を備えた野菜室１３７、引き出し式扉１３８を備えた冷凍室１３９が配置されている。
【００３５】
ここで、第２の仕切壁１３１は上部区画の第１の仕切壁１０６と上下方向で略同一面上に配置するよう配置されている。すなわち、第１の仕切壁１０６と第２の仕切壁１３１とは冷蔵庫本体１０１の前方から見て上下方向でほぼ一直線上に連なるような位置関係に配置され、冷蔵庫本体１０１を上下に区画するために左右方向に一直線上に配置された区画壁１０３と十文字に交差するように構成されている。
【００３６】
以上のように構成された冷蔵庫について、次にその作用について説明する。
【００３７】
まず、第１の仕切壁１０６が存在することにより、左側領域１０７については、引き出し式扉１０９の開閉動作に伴って収納容器１１３を前後に摺動可能にするレール機構の片側をその側面に固定することができ、他方、上部区画の内箱１１５の側壁面に固定されたレール機構と対をなしてバランスよく荷重を受け、引き出し式扉１０９を安定して摺動支持することができる。
【００３８】
一方、第１の仕切壁１０６が存在することにより、右側領域１０８については、棚１１４の片側を第１の仕切壁１０６の側壁面に設けた棚受けで、他側を内箱１１５の側壁面に設けた棚受けでバランスよく荷重を受け、安定して固定支持することができる。また、低温室１１６の片側のレール機構も同時に設けて収納容器１１７の安定した摺動構造とすることができる。
【００３９】
そして、左側領域１０７と右側領域１０８とがいずれもヒンジ回転式扉を用いた室を形成する場合には両領域内に跨って収納物を収納する棚を設け、この棚の両端を内箱両側壁面で支持するようにすればよいが、本実施の形態のように、片側の領域を引き出し式扉１０９を用いた室とする場合には、ヒンジ回転式扉１１０の室の棚１１４は、その片側側端部を支持する内箱壁面を利用できず、別途これを支持する構造体を設けなければ簡便で安価な棚の支持構造を実現することができない。
【００４０】
したがって、上部区画１０４内に第１の仕切壁１０６を設けて右側領域１０８では棚１１４を支持し、また同時に左側領域１０７では引き出し式扉の収納容器１１３を摺動支持する機能を持たせることが支持構造として合理的であり、強度面でも安定するものである。
【００４１】
しかしながら、その一方で、区画内に単に仕切壁を設けて区画することは上述の従来技術でも述べたように、特に視覚的な狭さを使用者や購入者に与えてしまうことが製品に対する大きなマイナス要因となっていたが、本実施の形態によれば、第１の仕切壁１０６の前方に空間１１２を有して左側領域１０７と右側領域１０８とを視覚的にも連通させているため、特にヒンジ開閉式扉１１０を開けて、右側領域１０８の室内を見渡した際の使用者や購入者の目には手前側に開放感があるので、第１の仕切壁１０６がその奥側に続いていても圧迫感や閉塞感を感じさせず、広々感を感じさせることができるものである。
【００４２】
そして、右側領域内において、複数の棚１１４，低温室１１６の前端面は、第１の仕切壁１０６の前端面とほぼ面一となるよう前端面が揃えられており、空間１１２は、実質的にはその奥行きが棚１１４，低温室１１６などの室内の収納部の前端面までの間隔を有しているものであるので、使用者や購入者の目には統一感があってすっきりと感じられ、なお一層広々と使いやすい印象を与えることができる。
【００４３】
また、本実施の形態では、ヒンジ開閉式扉１１０と引き出し式扉１０９との合わせ部のシール構造体として、ヒンジ開閉式扉１１０の反ヒンジ側扉裏面に設けた回転仕切体１１８の回動によるシール構造が用いられ、この回転仕切体１１８の回動領域が少なくとも第１の仕切壁１０６の前方に形成された空間１１２の範囲内に含まれるように、空間１１２の奥行き間隔を設定されているので、回転仕切体１１８が回動しても第１の仕切壁１０６に干渉することがなく、支障なく扉の開閉とヒンジ開閉式扉１１０と引き出し式扉１０９との合わせ部の密閉シールとを行えるものである。
【００４４】
すなわち、本実施の形態においては、上部区画１０４の各収納構造の安定的な支持構造を提供しつつ、使用者や購入者にとって室内の広々感を提供するために第１の仕切壁１０６の前方に所定の空間１１２を設け、この空間１１２を活用して、第１の仕切壁１０６の前端面を用いることなくヒンジ開閉式扉１１０と引き出し式扉１０９とを密閉シールできる回転仕切体１１８による扉シール構造をも同時に実現できるものである。
【００４５】
なお、上述した視覚的効果は、本実施の形態のように、特に使用者が目の前に対面して使用することになる上部区画１０４に対して、中でもヒンジ開閉式扉１１０を開放して室内を見渡しながら使う右側領域１０８のような室内に対して顕著ではあるが、下部区画１０５に同様の構成を採用した場合にも一定の効果が期待できるものである。
【００４６】
次に、第１の仕切壁１０６と第２の仕切壁１２７とは冷蔵庫本体１０１の前方から見て上下方向でほぼ一直線上に連なるような位置関係に配置され、冷蔵庫本体１０１を上下に区画するために左右方向に一直線上に配置された区画壁１０３と十文字に交差するように構成されているので、断熱箱体１０２は筐体としての剛性が高まり、その結果、第１の仕切壁１０６の左側領域側の側面で収納容器１１３を摺動自在に支持するレール機構を固定し、右側領域側の側面で収納棚１１４を支持する構成としても筐体としての強度を確保することができるものである。
【００４７】
また、第１の仕切壁１０６は回転式固定ピース１１９により区画壁１０３に固定されているため工具を用いることなく冷蔵庫本体１０１に取り付けることができ、回転式固定ピース１１９の１個は前後方向長穴１２１に１個は左右方向長穴１２２にはめ込み固定しているので、第１の仕切壁１０６は前後方向長穴１２１により左右方向への位置が規制され、左右方向長穴１２２により前後方向への位置が規制される。そして、第１の仕切壁１０６と貯蔵室天面１２４とは隙間１２５を有しているので、冷蔵庫本体１０１の組立てバラツキにより第１の仕切壁１０６取付け部の寸法が小さくなり仕切壁１０６の取り付けが出来ないといったことを防止できる。さらに、隙間１２５に沿わせる形で壁１２６を設けているので、貯蔵室天面１２４と第１の仕切壁１０６との隙間１２５が目立たなくなり、視覚的美観が向上される。また、第１の仕切壁１０６上端と壁１２６下端とのラップ部を設けることにより、冷蔵室の冷却時に第１の仕切壁１０６の熱収縮作用により隙間１２５が大きくなったとしても、隙間１２５の背後には壁１２６があり、見栄えを損なうことを防げる。また、ピン１２７にリブ１２９を合わせ仕切壁１０６を前方から挿入することにより仕切壁１０６の左右方向の位置規制が出来る。また、爪１２８をリブ１３０に引掛けた状態で仕切壁１０６を設置するので、仕切壁１０６の前方への位置規制ができ、仕切壁１０６取り外しの際は爪１２８を上へ押し上げ仕切壁１０６を引き出せば良いので、工具がなくとも仕切壁１０６の固定および取り外しが可能となる。
【００４８】
なお、本実施の形態では左側領域１０７と右側領域１０８の具体的な仕様については特定していないが、たとえば、左側領域１０７を、複数の収納容器１１３内には大小のペットボトルやビン類、缶類、紙パック等の飲料、調味量などの液状物容器、その他小物や卵など従来、冷蔵室の扉棚に収納されていた収納物を主に貯蔵でき、引出し式扉１０９と一体に引き出せるよう構成したボトル収納室とし、右側領域１０８を、ヒンジ開閉式扉１１０の裏面に収納用の扉棚を有さない冷蔵室としてもよい。
【００４９】
また、左側領域１０７を野菜収納室とし、右側領域１０８をヒンジ開閉式扉１１０の裏面に収納用の扉棚を備えた冷蔵室としてもよい。この場合は、冷蔵室内に設置される複数の棚１１４の奥行きが、扉棚を設けた分だけ短くなり、これにより、棚１１４と前端面を揃えた第１の仕切壁１０６の前端面がより後方に後退するため空間１１２の奥行き間隔が広くなって、より一層空間１１２を通じての広々感を提供することができる。
【００５０】
また、同様の温度帯ということであれば左側領域１０７と右側領域１０８の双方をともに収納用途の異なる冷蔵室同志または冷凍室同志とすることも当然に可能である。
【００５１】
さらには、若干の異なる温度帯であれば組み合わせることも可能であり、例えば左側領域１０７をチルド〜パーシャルフリージングの低温室と呼ばれる概ね−３℃〜１℃の温度帯室とし、右側領域１０８を冷蔵室としても、左側領域１０７の内容積が右側領域１０８の内容積に比べて十分に小さい場合などには第１の仕切壁１０６が、特に断熱構成を有していなくても可能となる。
【産業上の利用可能性】
【００５２】
以上のように、本発明にかかる冷蔵庫は、貯蔵室の前面開口部から所定の空間を有して仕切壁を配置し、左右の貯蔵領域を区画するので、扉開時に使用者に広々感を感じさせることができ、工具がなくとも仕切壁の脱着が可能であり、同様のレイアウトを有する他の箱体にも適用できる。
【図面の簡単な説明】
【００５３】
【図１】本発明の実施の形態１における冷蔵庫の正面図
【図２】同実施の形態における冷蔵庫の扉を外した状態の正面図
【図３】同実施の形態における冷蔵庫の扉を開けた状態の斜視図
【図４】同実施の形態における冷蔵庫の要部の平面断面図
【図５】同実施の形態における冷蔵庫の要部（仕切壁底面）の平面断面図
【図６】同実施の形態における冷蔵庫の要部（回転式固定ピース）の縦断面図
【図７】同実施の形態における冷蔵庫の要部（仕切壁上部）の縦断面図
【図８】同実施の形態における冷蔵庫の要部（仕切壁上部）の縦断面図
【図９】同実施の形態における冷蔵庫の要部（仕切壁上部）の平面断面図
【図１０】従来の冷蔵庫の正面図
【図１１】従来の冷蔵庫の扉を開けた状態の斜視図
【符号の説明】
【００５４】
１０２  断熱箱体
１０３  区画壁
１０６  第１の仕切壁（仕切壁）
１１９  回転式固定ピース
１２１  前後方向長穴
１２２  左右方向長穴
１２４  貯蔵室天面
１２５  隙間
１２６  壁
１２７  突起
１２８  爪
１２９  リブ
１３０  リブ
【図１】
2007163067.tif 000003
【図２】
2007163067.tif 000004
【図３】
2007163067.tif 000005
【図４】
2007163067.tif 000006
【図５】
2007163067.tif 000007
【図６】
2007163067.tif 000008
【図７】
2007163067.tif 000009
【図８】
2007163067.tif 000010
【図９】
2007163067.tif 000011
【図１０】
2007163067.tif 000012
【図１１】
2007163067.tif 000013